(57)【要約】本開示のある特定の態様は、ワイヤレス通信のための方法および装置に関する。一態様において、ワイヤレス通信の方法は、ＬＴＥ−Ｕデバイスに無認可通信スペクトル上の送信のための時間間隔を、アクセスポイントによって、割り当てることと、無認可通信スペクトル上の時間間隔の間にアンカー信号をブロードキャストすることとを備え、アンカー信号は、ＬＴＥ−Ｕデバイスについてのページングインジケーションを備える。別の態様において、ワイヤレス通信の方法は、無認可通信スペクトル上のページングインジケーションの受信のための時間間隔を、ＬＴＥ−Ｕデバイスによって、決定することと、無認可通信スペクトル上の時間間隔の間にアンカー信号を受信することとを備え、アンカー信号は、ページングインジケーションを備える。
2019504575.tif 000002
【特許請求の範囲】
【請求項１】
ワイヤレス通信の方法であって、
ロングタームエボリューション無認可（ＬＴＥ−Ｕ）デバイスに、無認可通信スペクトル上の送信のための時間間隔を、アクセスポイントによって、割り当てることと、および、
前記無認可通信スペクトル上の前記時間間隔の間にアンカー信号を、前記アクセスポイントによって、ブロードキャストすることと、前記アンカー信号は、前記ＬＴＥ−Ｕデバイスについてのページングインジケーションを備える、
を備える、方法。
【請求項２】
前記時間間隔は、間欠受信（ＤＲＸ）サイクル内のダウンリンクモニタリング送信構成（ＤＭＴＣ）ウィンドウを備える、請求項１に記載の方法。
【請求項３】
ダウンリンクモニタリング送信構成（ＤＭＴＣ）ウィンドウ外に、および間欠受信（ＤＲＸ）サイクル内に、前記時間間隔を割り当てることをさらに備える、請求項１に記載の方法。
【請求項４】
前記アクセスポイントのページング容量の決定に応答して前記ＤＭＴＣウィンドウ外に前記時間間隔を割り当てることをさらに備える、請求項３に記載の方法。
【請求項５】
前記ＤＭＴＣウィンドウの開始は、
( UEID mod NDMTC ) * DMTCperiod_frames * Nsubframes_per_frame + DMTCoffset_frame
に基づいて前記ＬＴＥ−Ｕデバイスに割り当てられ、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームの数を備える、請求項４に記載の方法。
【請求項６】
ＮＤＭＴＣは、前記ＤＭＴＣウィンドウが生じる送信期間の持続期間で除算された前記ＤＲＸサイクルの持続時間に基づく、請求項５に記載の方法。
【請求項７】
前記ＬＴＥ−Ｕデバイスの優先度と、
前記アクセスポイントによってバッファされた前記ＬＴＥ−Ｕデバイスについてのメッセージの優先度と、
前記時間間隔の間に前記媒体を得るための前記アクセスポイントの失敗と、および、
前記ＬＴＥ−Ｕデバイスが前記時間間隔外でページングインジケーションをモニタリングするという前記アクセスポイントによる決定と
のうちの少なくとも１つに基づいて、前記時間間隔外で前記ＬＴＥ−Ｕデバイスに更なるページングインジケーションを送信することをさらに備える、請求項１に記載の方法。
【請求項８】
前記更なるページングインジケーションを含むサブフレームは、前記サブフレームがダウンリンクモニタリング送信構成（ＤＭＴＣ）ウィンドウ外で送信された時に、サブフレーム特有のスクランブリングを使用するパイロットを用いて送られる、請求項７に記載の方法。
【請求項９】
前記ＬＴＥ−Ｕデバイスにバックオフ間隔を、前記アクセスポイントによって、割り当てることと、前記バックオフ間隔は、前記アンカー信号がブロードキャストされた後の時間のウィンドウを備える、および
前記バックオフ間隔に基づいて、前記アンカー信号をブロードキャストした後にランダムアクセスチャネル（ＲＡＣＨ）手順に基づいて前記ＬＴＥ−Ｕデバイスと、前記アクセスポイントによって、接続することと
をさらに備える、請求項１に記載の方法。
【請求項１０】
前記アンカー信号は、エンハンスド発見基準信号を備える、請求項１に記載の方法。
【請求項１１】
ワイヤレス通信の方法であって、
無認可通信スペクトル上のページングインジケーションの受信についての時間間隔を、ロングタームエボリューションの無認可（ＬＴＥ−Ｕ）デバイスによって、決定することと、および、
前記無認可通信スペクトル上の前記時間間隔の間にアンカー信号を、前記ＬＴＥ−Ｕデバイスによって、受信することと、前記アンカー信号は、前記ページングインジケーションを備える、
を備える、方法。
【請求項１２】
前記時間間隔は、間欠受信（ＤＲＸ）サイクル内のダウンリンクモニタリング送信構成（ＤＭＴＣ）ウィンドウを備える、請求項１１に記載の方法。
【請求項１３】
前記時間間隔は、ダウンリンクモニタリング送信構成（ＤＭＴＣ）ウィンドウ外に、および間欠受信（ＤＲＸ）サイクル内にある、請求項１１に記載の方法。
【請求項１４】
前記ＤＭＴＣウィンドウの開始は、
( UEID mod NDMTC ) * DMTCperiod_frames * Nsubframes_per_frame + DMTCoffset_frame
に基づいて決定され、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームの数を備える、請求項１２に記載の方法。
【請求項１５】
ＮＤＭＴＣは、前記ＤＭＴＣウィンドウが生じる送信期間の持続期間で除算された前記ＤＲＸサイクルの持続時間に基づく、請求項１４に記載の方法。
【請求項１６】
前記ＬＴＥ−Ｕデバイスの優先度と、
アクセスポイントによってバッファされた前記ＬＴＥ−Ｕデバイスについてのメッセージの優先度と、
前記ページングインジケーションを含むサブフレームが前記時間間隔内に送られなかったという前記ＬＴＥ−Ｕデバイスによる決定と、および、
前記時間間隔外のページングインジケーションをモニタリングするという前記ＬＴＥ−Ｕデバイスによる決定と
のうちの少なくとも１つに基づいて、前記時間間隔外の更なるページングインジケーションを、前記ＬＴＥ−Ｕデバイスによって、受信することをさらに備える、請求項１１に記載の方法。
【請求項１７】
前記更なるページングインジケーションを含むサブフレームは、前記サブフレームがダウンリンクモニタリング送信構成（ＤＭＴＣ）ウィンドウ外で受信された時に、サブフレーム特有のスクランブリングを使用するパイロットを用いて受信される、請求項１６に記載の方法。
【請求項１８】
前記アンカー信号の受信後を待つバックオフ間隔を、前記ＬＴＥ−Ｕデバイスによって、決定することと、および、
前記アンカー信号を受信した後に前記バックオフ間隔を待った後にアクセスポイントでランダムアクセスチャネル（ＲＡＣＨ）手順を、前記ＬＴＥ−Ｕデバイスによって、開始することと
をさらに備える、請求項１１に記載の方法。
【請求項１９】
前記ページングインジケーションを、前記ＬＴＥ−Ｕデバイスによって、復号することと、および、
前記ページングインジケーションを復号した後に、前記ＬＴＥ−Ｕデバイスによって前記時間間隔内で更なるページングインジケータをリッスンすること(listening)を停止することと、
をさらに備える、請求項１１に記載の方法。
【請求項２０】
ワイヤレス通信のためのアクセスポイントであって、
ロングタームエボリューション無認可（ＬＴＥ−Ｕ）デバイスに、無認可通信スペクトル上の送信のための時間間隔を割り当てるように構成された電子ハードウェアプロセッサと、および、
前記無認可通信スペクトル上の前記時間間隔の間にアンカー信号をブロードキャストするように構成された送信機と、前記アンカー信号は、前記ＬＴＥ−Ｕデバイスについてのページングインジケーションを備える
を備える、アクセスポイント。
【請求項２１】
前記時間間隔は、間欠受信（ＤＲＸ）サイクル内のダウンリンクモニタリング送信構成（ＤＭＴＣ）ウィンドウを備える、請求項２０に記載のアクセスポイント。
【請求項２２】
前記プロセッサは、ダウンリンクモニタリング送信構成（ＤＭＴＣ）ウィンドウ外に、および間欠受信（ＤＲＸ）サイクル内に前記時間間隔を割り当てるようにさらに構成される、請求項２０に記載のアクセスポイント。
【請求項２３】
前記プロセッサは、前記アクセスポイントのページング容量の決定に応答してダウンリンクモニタリング送信構成（ＤＭＴＣ）ウィンドウ外に前記時間間隔を割り当てるようにさらに構成される、請求項２２に記載のアクセスポイント。
【請求項２４】
前記電子ハードウェアプロセッサは、
( UEID mod NDMTC ) * DMTCperiod_frames * Nsubframes_per_frame + DMTCoffset_frame
に基づいて前記ＬＴＥ−Ｕデバイスに前記ＤＭＴＣウィンドウの開始を割り当てるようにさらに構成され、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームの数を備える、請求項２１に記載のアクセスポイント。
【請求項２５】
前記電子ハードウェアプロセッサは、前記ＤＭＴＣウィンドウが生じる送信期間の持続期間で除算された前記ＤＲＸサイクルの持続時間に基づいてＮＤＭＴＣを決定するようにさらに構成される、請求項２４に記載のアクセスポイント。
【請求項２６】
前記送信機は、前記割り当てられた時間間隔外で前記ＬＴＥ−Ｕデバイスに更なるページングインジケーションを送信するようにさらに構成され、ここにおいて、前記電子ハードウェアプロセッサは、
前記ＬＴＥ−Ｕデバイスの優先度と、
前記ＬＴＥ−Ｕデバイスのためにバッファされたメッセージの優先度と、
前記割り当てられた時間間隔の間に前記媒体を得ることの失敗と、および
前記ＬＴＥ−Ｕデバイスが前記割り当てられた時間間隔外でページングインジケーションをモニタリングするという決定と
のうちの少なくとも１つに基づいて前記更なるページングインジケーションをいつ送信するかを決定するように構成される、請求項２０に記載のアクセスポイント。
【請求項２７】
前記電子ハードウェアプロセッサは、サブフレームがダウンリンクモニタリング送信構成（ＤＭＴＣ）ウィンドウ外で送信されるべきであるとき、サブフレーム特有のスクランブリングを使用するパイロットを用いて前記更なるページングインジケーションを含む前期サブフレームを生成するようにさらに構成され、ここにおいて、前記送信機は、前記サブフレームを送信するようにさらに構成される、請求項２６に記載のアクセスポイント。
【請求項２８】
前記電子ハードウェアプロセッサは、
前記ＬＴＥ−Ｕデバイスにバックオフ間隔を割り当てることと、前記バックオフ間隔は、前記アンカー信号がブロードキャストされた後の時間のウィンドウを備える、および、
前記バックオフ間隔に基づいて、前記アンカー信号をブロードキャストした後にランダムアクセスチャネル（ＲＡＣＨ）手順に基づいて前記ＬＴＥ−Ｕデバイスと接続することと
を行うようにさらに構成される、請求項２０に記載のアクセスポイント。
【請求項２９】
ワイヤレス通信のためのロングタームエボリューション無認可（ＬＴＥ−Ｕ）デバイスであって、
無認可通信スペクトル上のページングインジケーションの受信のための時間間隔を決定するように構成された電子ハードウェアプロセッサと、および、
前記無認可通信スペクトル上の前記時間間隔の間にアンカー信号を受信するように構成された受信機と、前記アンカー信号は、前記ページングインジケーションを備える
を備える、ＬＴＥ−Ｕデバイス。
【請求項３０】
前記時間間隔は、間欠受信（ＤＲＸ）サイクル内のダウンリンクモニタリング送信構成（ＤＭＴＣ）ウィンドウを備える、請求項２９に記載のＬＴＥ−Ｕデバイス。
【請求項３１】
前記時間間隔は、ダウンリンクモニタリング送信構成（ＤＭＴＣ）ウィンドウ外に、および間欠受信（ＤＲＸ）サイクル内にある、請求項２９に記載のＬＴＥ−Ｕデバイス。
【請求項３２】
前記電子ハードウェアプロセッサは、
( UEID mod NDMTC ) * DMTCperiod_frames * Nsubframes_per_frame + DMTCoffset_frame
に基づいて前記ＤＭＴＣウィンドウの開始を決定するようにさらに構成され、
ここで、ＵＥＩＤは前記ＬＴＥ−Ｕデバイスの識別子を備え、ここで、ＮＤＭＴＣは前記ＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは前記アンカー信号が位置する前記ＤＭＴＣウィンドウの開始時間からのサブフレームを備える、請求項３０に記載のＬＴＥ−Ｕデバイス。
【請求項３３】
前記電子ハードウェアプロセッサは、ＮＤＭＴＣが、前記ＤＭＴＣウィンドウが生じる送信期間の持続期間で除算された前記ＤＲＸサイクルの持続時間に基づくと決定するようにさらに構成される、請求項３２に記載のＬＴＥ−Ｕデバイス。
【請求項３４】
前記受信機は、前記割り当てられた間隔外で更なるページングインジケーションを受信するようにさらに構成され、ここにおいて、前記電子ハードウェアプロセッサは、
デバイス優先度と、
アクセスポイントによってバッファされたメッセージの優先度と、
前記ページングインジケーションを含むサブフレームが前記割り当てられた間隔内に送られなかったという決定と、および、
前記割り当てられた時間間隔外でページングインジケーションをモニタリングするという決定と
のうちの少なくとも１つに基づいて前記更なるページングインジケーションをいつ受信するかを決定するように構成される、請求項２９に記載のＬＴＥ−Ｕデバイス。
【請求項３５】
前記受信機は、前記サブフレームがダウンリンクモニタリング送信構成（ＤＭＴＣ）ウィンドウ外で受信された時に、サブフレーム特有のスクランブリングを使用するパイロットを用いて前記更なるページングインジケーションを含むサブフレームを受信するようにさらに構成される、請求項３４に記載のＬＴＥ−Ｕデバイス。
【請求項３６】
前記電子ハードウェアプロセッサは、
前記アンカー信号の受信後を待つバックオフ間隔を決定することと、および、
前記アンカー信号を受信した後に前記バックオフ間隔を待った後にアクセスポイントでランダムアクセスチャネル（ＲＡＣＨ）手順を開始することと
を行うようにさらに構成される、請求項２９に記載のＬＴＥ−Ｕデバイス。
【請求項３７】
前記電子ハードウェアプロセッサは、
前記ページングインジケーションを復号することと、および、
前記ページングインジケーションを復号した後に、前記時間間隔内で更なるページングインジケータをリッスンすることを停止することと、
を行うようにさらに備える、請求項２９に記載のＬＴＥ−Ｕデバイス。
【請求項３８】
ワイヤレス通信のためのアクセスポイントであって、
ロングタームエボリューション無認可（ＬＴＥ−Ｕ）デバイスに、無認可通信スペクトル上の送信のための時間間隔を割り当てるための手段と、および、
前記無認可通信スペクトル上の前記時間間隔の間にアンカー信号をブロードキャストするための手段と、前記アンカー信号は、前記ＬＴＥ−Ｕデバイスについてのページングインジケーションを備える
を備える、アクセスポイント。
【請求項３９】
ワイヤレス通信のためのロングタームエボリューション無認可（ＬＴＥ−Ｕ）デバイスであって、
無認可通信スペクトル上のページングインジケーションの受信のための時間間隔を決定するための手段と、および、
前記無認可通信スペクトル上の前記時間間隔の間にアンカー信号を受信するための手段と、前記アンカー信号は、前記ページングインジケーションを備える
を備える、ＬＴＥ−Ｕデバイス。
【請求項４０】
非一時的なコンピュータ可読媒体であって、実行されると、
ロングタームエボリューション無認可（ＬＴＥ−Ｕ）デバイスに、無認可通信スペクトル上の送信のための時間間隔を割り当てることと、および、
前記無認可通信スペクトル上の前記時間間隔の間にアンカー信号をブロードキャストすることと、前記アンカー信号は、前記ＬＴＥ−Ｕデバイスについてのページングインジケーションを備える
をアクセスポイントのプロセッサに行わせる命令を記憶した、非一時的なコンピュータ可読媒体。
【請求項４１】
非一時的なコンピュータ可読媒体であって、実行されると、
無認可通信スペクトル上のページングインジケーションの受信のための時間間隔を決定することと、および、
前記無認可通信スペクトル上の前記時間間隔の間にアンカー信号を受信することと、前記アンカー信号は、前記ページングインジケーションを備える
をロングタームエボリューション無認可（ＬＴＥ−Ｕ）デバイスのプロセッサに行わせる命令を記憶した、非一時的なコンピュータ可読媒体。
【発明の詳細な説明】
【技術分野】
【０００１】
[0001]本開示のある特定の態様は、一般に、ワイヤレス通信に関し、より具体的には、無認可通信チャネルにおいてページングするための方法および装置に関する。
【背景技術】
【０００２】
[0002]ワイヤレス通信システムは、音声およびデータのような様々な種類の通信コンテンツを提供するように広く展開されている。典型的な無線通信システムは、利用可能なシステムリソース（例えば、帯域幅、送信電力）を共有することによって、複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、等を含み得る。さらに、このようなシステムは、第３世代パートナーシッププロジェクト（３ＧＰＰ（登録商標））、３ＧＰＰ２、３ＧＰＰロングタームエボリューション（ＬＴＥ（登録商標））、ＬＴＥアドバンスド（ＬＴＥ−Ａ）、ＬＴＥアンライセンスド（ＬＴＥ−Ｕ）、ＬＴＥダイレクト（ＬＴＥ−Ｄ）、ライセンスアシストアクセス（ＬＡＡ）、ＭｕＬＴＥｆｉｒｅ、等のような仕様に適合することができる。これらのシステムは、ワイヤレス通信を容易にするように適応された様々なタイプのユーザ機器（ＵＥ）によってアクセスされ得、複数のＵＥは、利用可能なシステムリソース（例えば、時間、周波数、および電力）を共有する。
【０００３】
[0003]複数のデバイス間でワイヤレスで通信される情報の量および複雑さにより、要求されるオーバーヘッド帯域幅は増加し続ける。デバイスは、互いに近接して動作し得、異なる無線アクセス技術（ＲＡＴ）および／または異なる通信プロトコルで動作する。例えば、同じ無認可チャネル上で動作する異なるオペレータのデバイス間の通信を調整することが望ましくあり得る。
【発明の概要】
【０００４】
[0004]添付の特許請求の範囲内のシステム、方法、およびデバイスの様々な実現は各々、いくつかの態様を有し、これらのうちのどの１つも、単独で本明細書に説明される望ましい属性（attributes）を担うものではない。添付の特許請求の範囲を限定することなく、いくつかの顕著な特徴が本明細書に説明される。
【０００５】
[0005]本明細書に説明される主題の１つまたは複数の実現の詳細が、添付図面および以下の説明に記述されている。他の特徴、態様、および利点は、明細書、図面、および特許請求の範囲から明らかになるだろう。以下の図の相対的な寸法が原寸通りに描かれていない可能性があることに留意されたい。
【０００６】
[0006]本開示の一態様は、ワイヤレス通信の方法を提供する。方法は、ロングタームエボリューション無認可（ＬＴＥ−Ｕ）デバイスに、無認可通信スペクトル上の送信のための時間間隔を、アクセスポイントによって、割り当てることを備える。方法は、無認可通信スペクトル上の時間間隔の間にアンカー信号を、アクセスポイントによって、ブロードキャストすることをさらに備え、アンカー信号は、ＬＴＥ−Ｕデバイスについてのページングインジケーションを備える。
【０００７】
[0007]本開示の別の態様は、アクセスポイントのような、ワイヤレス通信のための装置を提供する。装置は、ロングタームエボリューション無認可（ＬＴＥ−Ｕ）デバイスに、無認可通信スペクトル上の送信のための時間間隔を割り当てるように構成されたプロセッサを備える。装置は、無認可通信スペクトル上の時間間隔の間にアンカー信号をブロードキャストするように構成された送信機をさらに備え、アンカー信号は、ＬＴＥ−Ｕデバイスについてのページングインジケーションを備える。
【０００８】
[0008]本開示の別の態様は、アクセスポイントのような、ワイヤレス通信のための装置を提供する。装置は、ロングタームエボリューション無認可（ＬＴＥ−Ｕ）デバイスに、無認可通信スペクトル上の送信のための時間間隔を割り当てるための手段を備える。装置は、無認可通信スペクトル上の時間間隔の間にアンカー信号をブロードキャストするための手段をさらに備え、アンカー信号は、ＬＴＥ−Ｕデバイスについてのページングインジケーションを備える。
【０００９】
[0009]本開示の別の態様は、実行された場合、アクセスポイントのプロセッサに、ロングタームエボリューション無認可（ＬＴＥ−Ｕ）デバイスに無認可通信スペクトル上の送信のための時間間隔を割り当てさせ、無認可通信スペクトル上の時間間隔の間にアンカー信号をブロードキャストさせる命令を記憶した非一時的なコンピュータ可読媒体を提供し、アンカー信号は、ＬＴＥ−Ｕデバイスについてのページングインジケーションを備える。
【００１０】
[0010]本開示の一態様は、ワイヤレス通信の方法を提供する。方法は、無認可通信スペクトル上のページングインジケーションの受信のための時間間隔を、ロングタームエボリューションの無認可（ＬＴＥ−Ｕ）デバイスによって、決定することを備える。方法は、無認可通信スペクトル上の時間間隔の間にアンカー信号を、ＬＴＥ−Ｕデバイスによって、受信することをさらに備え、アンカー信号は、ページングインジケーションを備える。
【００１１】
[0011]本開示の別の態様は、ロングタームエボリューション無認可（ＬＴＥ−Ｕ）デバイスのような、ワイヤレス通信のための装置を提供する。装置は、無認可通信スペクトル上のページングインジケーションの受信のための時間間隔を決定するように構成されたプロセッサを備える。装置は、無認可通信スペクトル上の時間間隔の間にアンカー信号を受信するように構成された受信機をさらに備え、アンカー信号は、ページングインジケーションを備える。
【００１２】
[0012]本開示の別の態様は、ロングタームエボリューション無認可（ＬＴＥ−Ｕ）デバイスのような、ワイヤレス通信のための装置を提供する。装置は、無認可通信スペクトル上のページングインジケーションの受信のための時間間隔を決定するための手段を備える。装置は、無認可通信スペクトル上の時間間隔の間にアンカー信号を受信するための手段をさらに備え、アンカー信号は、ページングインジケーションを備える。
【００１３】
[0013]本開示の別の態様は、実行された場合、ロングタームエボリューション無認可（ＬＴＥ−Ｕ）デバイスのプロセッサに、無認可通信スペクトル上のページングインジケーションの受信のための時間間隔を決定させ、無認可通信スペクトル上の時間間隔の間にアンカー信号を受信させる命令を記憶した非一時的なコンピュータ可読媒体を提供し、アンカー信号は、ページングインジケーションを備える。
【図面の簡単な説明】
【００１４】
【図１】[0014]図１は、本開示の態様が用いられ得る無線通信システムの例を例示する。
【図２】[0015]図２は、図１のワイヤレス通信システム内で用いられ得るワイヤレスデバイスにおいて利用され得る様々なコンポーネントを例示する。
【図３Ａ】[0016]図３Ａは、一実施形態にしたがった、無認可スペクトルにおける通信の例示的な時系列図を例示する。
【図３Ｂ】[0017]図３Ｂは、一実施形態にしたがった、無認可スペクトルにおける通信の別の例示的な時系列図を例示する。
【図４Ａ】[0018]図４Ａは、一実施形態にしたがった、認可スペクトルにおける通信の例示的な時系列図を例示する。
【図４Ｂ】[0019]図４Ｂは、一実施形態にしたがった、無認可スペクトルにおける通信の別の例示的な時系列図を例示する。
【図５】[0020]図５は、一実施形態にしたがった、無線通信の例示的な方法のフローチャートである。
【図６】[0021]図６は、一実施形態にしたがった、無線通信の例示的な方法の別のフローチャートである。
【発明の詳細な説明】
【００１５】
[0022]新規なシステム、装置、および方法の様々な態様が、添付の図面を参照して以下により十分に説明される。しかしながら、本開示の教示は、多くの異なる形態で具現化されることができ、この開示の全体にわたって提示される任意の特定の構造または機能に限定されると解釈されるべきではない。むしろ、これらの態様は、この開示が十分で完全であり、当業者に本開示の範囲を十分に伝えるように提供される。本明細書での教示に基づいて、当業者は、本開示の範囲が、本開示の任意の他の態様と組み合わされて実現されようと、あるいは独立して実現されようと、本明細書に開示される新規なシステム、装置、および方法の任意の態様をカバーするように意図されていることを理解すべきである。加えて、範囲は、本明細書で説明されるような他の構造および／または機能を使用して実施されるような装置または方法をカバーするように意図されている。本明細書で開示される任意の態様が、請求項の１つまたは複数の要素によって具現化され得ることが理解されるべきである。
【００１６】
[0023]特定の態様が本明細書で説明されるが、これらの態様の多くの変形および置換が、本開示の範囲内に含まれる。好ましい態様のいくつかの利益および利点が述べられるが、本開示の範囲は、特定の利益、使用、または目的に限定されるように意図されたものではない。むしろ、本開示の態様は、異なるワイヤレス技術、システム構成、ネットワーク、および送信プロトコルに広く適用可能であるように意図されており、そのうちのいくつかは、図面および好ましい態様の以下の説明において例として例示される。詳細な説明および図面は、限定ではなく、本開示の単なる例示であり、本開示の範囲は、添付の特許請求の範囲およびそれらの同等物によって定義されている。
【００１７】
[0024]「例示的（exemplary）」という用語は、本明細書では、「例、事例、または例示を提供する」という意味で使用される。本明細書で「例示的」なものとして説明される任意の実現は、他の実現に対して、必ずしも好ましいまたは有利であるようには解釈されない。以下の説明は、当業者の誰もが本明細書で説明される実施形態を製造および使用することを可能にするために提示される。詳細は、説明の目的で、以下の説明に示される。本実施形態はこれらの特定の詳細の使用なしで実施され得ることを理解するであろうことが、当業者によって認識されるべきである。他の事例では、周知の構造およびプロセスは、不要な詳細により開示された実施形態の説明を曖昧にしないように、詳細に説明されない。よって、本願は、示されている実現によって制限されることは意図されておらず、本明細書に説明される特徴および原理に一致する最も広い範囲が与えられるべきである。
【００１８】
[0025]ワイヤレスアクセスネットワーク技術は、様々な種類のワイヤレスローカルエリアネットワーク（ＷＬＡＮ）を含み得る。ＷＬＡＮは、広く使用されるアクセスネットワーキングプロトコルを用いて、近くのデバイスを互いに相互接続するために使用され得る。本明細書で説明される様々な態様は、Ｗｉ−Ｆｉ、またはより一般的には、ワイヤレスプロトコルのＩＥＥＥ８０２．１１ファミリの任意のメンバのような、任意の通信規格に適用し得る。
【００１９】
[0026]いくつかの実現において、ＷＬＡＮは、ワイヤレスアクセスネットワークにアクセスする様々なデバイスを含む。例えば、アクセスポイント（「ＡＰ」）およびクライアント（局または「ＳＴＡ」とも称される）が存在し得る。一般に、ＡＰは、ＷＬＡＮにおけるＳＴＡのための基地局またはハブとしての役割を果たす。ＳＴＡは、ラップトップコンピュータ、携帯情報端末（ＰＤＡ）、モバイル電話、等であり得る。一例は、ＳＴＡはインターネットまたは他のワイドエリアアクセスネットワークへの一般的な接続を取得するために、Ｗｉ−Ｆｉ（例えば、８０２．１１ａｈのようなＩＥＥＥ８０２．１１プロトコル）対応ワイヤレスリンクを介してＡＰに接続する。いくつかの実現では、ＳＴＡはまた、ＡＰとして使用され得る。
【００２０】
[0027]アクセスポイント（「ＡＰ」）は、ノードＢ、ワイヤレスネットワークコントローラ（「ＲＮＣ」）、ｅノードＢ（「ｅＮＢ」）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備えることができ、これらとして実現されることができ、または、これらとして周知であり得る。
【００２１】
[0028]局「ＳＴＡ」はまた、ユーザ端末、アクセス端末（「ＡＴ」）、加入者局、加入者ユニット、モバイル局、リモート局、リモート端末、ユーザエージェント、ユーザデバイス、ユーザ機器、または何らかの他の専門用語を備えることができ、これらとして実現されることができ、または、これらとして周知であり得る。いくつかの実現では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適切な処理デバイスを備え得る。したがって、本明細書で教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、または衛星ラジオ）、ゲームデバイスまたはシステム、全地球測位システムデバイス、ノードＢ（基地局）、またはワイヤレス媒体を介して通信するように構成された任意の他の適切なデバイス中に組み込まれ得る。
【００２２】
[0029]本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークのような様々なワイヤレス通信ネットワークに使用され得る。「ネットワーク」および「システム」という用語は、しばしば交換可能に使用される。ＣＤＭＡネットワークは、ユニバーサル地上無線アクセス（ＵＴＲＡ：Universal Terrestrial Radio Access）、ｃｄｍａ２０００等のような無線技術を実現し得る。ＵＴＲＡは、広帯域ＣＤＭＡ（Ｗ−ＣＤＭＡ（登録商標））およびローチップレート（ＬＣＲ）を含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ）（登録商標）のような無線技術を実現し得る。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭのような無線技術を実装し得る。ＵＴＲＡ、Ｅ−ＵＴＲＡおよびＧＳＭは、ユニバーサル移動通信システム（ＵＭＴＳ）の一部である。ロングタームエボリューション（ＬＴＥ）は、Ｅ−ＵＴＲＡを使用するＵＭＴＳのリリース（release）である。ＵＴＲＡ、Ｅ−ＵＴＲＡ、ＧＳＭ、ＵＭＴＳおよびＬＴＥは、「第３世代パートナーシッププロジェクト」（３ＧＰＰ）と呼ばれる団体からの文書に説明されている。ｃｄｍａ２０００は、「第３世代パートナーシッププロジェクト２（３ＧＰＰ２）」と呼ばれる団体からの文書に説明されている。これらの様々な無線技術および規格は、当該技術分野において周知である。
【００２３】
[0030]開示された技法はまた、ＬＴＥ−Ａ、ＬＴＥ−Ｕ、ＬＴＥ−Ｄ、ＬＴＥ、ＭｕＬＴＥｆｉｒｅ、Ｗ−ＣＤＭＡ、ＴＤＭＡ、ＯＦＤＭＡ、高レートパケットデータ（ＨＲＰＤ）、発展型高レートパケットデータ（ｅＨＲＰＤ）、マイクロ波アクセスのためのワールドワイド相互運用（ＷｉＭＡＸ）、ＧＳＭ、ＧＳＭエボリューションのためのエンハンスドデータレート（ＥＤＧＥ）、等に関連している技術および関連規格に適用可能であり得る。ＭｕＬＴＥｆｉｒｅは、無認可スペクトルにおいて単独で動作するＬＴＥベースの技術であり、無認可スペクトルにおいて「アンカー」を必要としない。異なる技術に関連する専門用語は、変化し得る。ＬＴＥ−Ｄは、認可ＬＴＥスペクトルを利用するデバイスツーデバイス技術であり、３ＧＰＰリリース１２の一部としてリリースされた。ＬＴＥ−Ｄデバイスは、ネットワーク割り振りされたスロットおよび帯域幅においてメッセージを送ることで他のデバイスと直接通信することができる。
【００２４】
[0031]いくつかの実施形態において、考慮される技術に応じて、ＵＭＴＳにおいて使用されるユーザ機器（ＵＥ）は、いくつか例を挙げると、移動局、局（ＳＴＡ）、ユーザ端末、加入者局、アクセス端末、等と呼ばれるときもあり得る。同様に、ＵＭＴＳにおいて使用されるノードＢは、発展型ノードＢ（ｅノードＢまたはｅＮＢ）、アクセスノード、アクセスポイント、基地局（ＢＳ）、ＨＲＰＤ基地局（ＢＴＳ）、等と呼ばれるときもあり得る。ここでは、適用可能であれば、異なる専門用語が異なる技術に適用されることに留意されたい。
【００２５】
[0032]図１は、本開示の態様が用いられ得るワイヤレス通信システム１００（またはネットワーク）の例を例示する。ワイヤレス通信システム１００は、ユーザ機器（ＵＥ）１０６ａ〜ｃ（本明細書では「ユーザ機器１０６」と称される）を含み得、それらは、ｅＮＢ１０４を通してセルラネットワーク（例えば２Ｇ、３Ｇ、４Ｇ ＬＴＥ、ＬＴＥ−Ｕ、ＬＴＥ−Ｄ、および／またはＭｕＬＴＥｆｉｒｅネットワーク）の１つまたは両方と、またはｅＮＢ１０４を通して非セルラネットワーク（例えば、ワイヤレスローカルエリアネットワーク（ＷＬＡＮ））と、または何らかの他のアクセスポイント（ＡＰ）（図示せず）とワイヤレス通信状態にあり得る。
【００２６】
[0033]ワイヤレス通信システム１００は、ワイヤレス規格、例えば、８０２．１１ａｈ、８０２．１１ａｃ、８０２．１１ｎ、８０２．１１ｇ、８０２．１１ｂ、または他の８０２．１１規格に準拠する動作を含み得る。図１に示されるように、ｅＮＢ１０４は、エリア１０２においてセルラ通信カバレッジを提供し得る。ＵＥ１０６は、カバレッジエリア１０２内に位置するワイヤレスデバイスを備え得る。ＵＥ１０６は、ＬＴＥ ＵＥとして機能する、セルラネットワーク（例えば、ＬＴＥ）を使用して通信リンク１１０上でｅＮＢ１０４と通信し得る。ワイヤレス通信システム１００におけるデバイス間で交換された通信は、データユニットを含み得、それは、パケット、フレーム、サブフレーム、ビット、等を備え得る。
【００２７】
[0034]幅広く言うと、無線周波数（ＲＦ）スペクトルは、認可および無認可スペクトル（本明細書では認可および無認可「帯域」とも称される）に分類され得る。いくつかの態様において、ＬＴＥ規格にしたがって動作するワイヤレスデバイス（例えば、ＵＥ１０６またはｅＮＢ１０４）は、認可および無認可スペクトルの一方または両方で動作し得る。例えば、認可スペクトルは、セルラワイヤレス通信（例えば、ＬＴＥ規格にしたがって動作する通信）のために予約される周波数を含むことができる。しかしながら、無認可スペクトルは、一般に、予約された周波数を有しておらず、様々な能力のデバイスは、無認可スペクトル内の共存動作（coexisting operations）を有する可能性がある。例えば、ＷＬＡＮデバイスおよびＬＴＥデバイスは両方無認可スペクトル内で動作し得、スペクトルを排他的に使用することはない。よって、無認可スペクトルのユーザは、他のユーザによって干渉を受けやすい。無認可周波数スペクトルにおいて動作するＬＴＥデバイスは、「ＬＴＥ−Ｕ」または「ＭｕＬＴＥｆｉｒｅ」デバイスと称され得る。いくつかの実施形態において、ＵＥ１０６は、ライセンスアシストアクセス（ＬＡＡ）プロトコルにしたがってＵＥ１０６と通信し得、それは、認可および無認可スペクトルの両方を使用し得る。しかしながら、ワイヤレス通信において、周波数スペクトルおよび利用可能な動作時間のような、通信リソースを共有することは、共存問題を引き起こす可能性がある。本明細書で説明される技法は、一般に無認可帯域を対象としたものだが、それらはアクセスポイントの低協調展開（low-coordination deployment）を容易にするように意図されているので、他の種類の帯域に適用されることができる。
【００２８】
[0035]例えば、いくつかの態様において、ｅＮＢ１０４は、時分割多重（ＴＤＭ）プロトコルを利用して無認可スペクトル上でＵＥ１０６と通信し得、それは、ワイヤレス媒体にアクセスすることにおける公平さを提供することができる。しかしながら、ＴＤＭプロトコルの一部として、ｅＮＢ１０４は、限られた時間期間の間にＵＥ１０６すべてにある特定の情報を送信することのみが可能であり得る。これは、一般的に連続的な受信プロトコルを利用する認可スペクトル上での通信とは対照的である。よって、無認可スペクトル上での通信は、いくつかの事例では、認可スペクトル上での通信よりも少ない頻度で起こり得る。
【００２９】
[0036]ある特定の実施形態において、ｅＮＢ１０４は、「構成ウィンドウ（configuration windows）」またはダウンリンクモニタリング送信構成（ＤＭＴＣ：downlink monitoring transmission configuration）ウィンドウと称される時間期間の間にＴＤＭプロトコルに基づいてＵＥ１０６に情報を通信するように試みることができる。これら時間期間の別の名前は、ダウンリンク送信ウィンドウ（ＤＴｘＷ）であり得る。例えば、いくつかの態様において、ｅＮＢ１０４は、ＤＭＴＣウィンドウ中にアンカー信号をＵＥ１０６に送信またはブロードキャストし得る。ＴＤＭアクセスに特有のいくつかの実施形態において、これらアンカー信号は、ページングインジケータを含み得、それは、ｅＮＢ１０４が特定のＵＥ１０６についてのデータを有することを示し得る。例えば、ｅＮＢ１０４は、ＵＥ１０６ａのためのメッセージがあることを示すためにＵＥ１０６ａにページングインジケータを有するアンカー信号を送信またはブロードキャストし得る。しかしながら、認可スペクトル上での通信とは対照的に、ｅＮＢ１０４は、ページングインジケータ（または他の情報）を送信する成功率が低い可能性がある。例えば、認可スペクトル上での通信では、ｅＮＢ１０４は、間欠受信（ＤＲＸ）サイクル３１０をページングするごとに（例えば、１６０ｍｓごとに）、各ＵＥ１０６に１ｍｓのページング機会を割り当て得、ｅＮＢ１０４は、この１ｍｓの間にＵＥ１０６にページング情報を送信するためにワイヤレス通信媒体を求めて競争する必要がない。いくつかの態様では、認可スペクトルは、信号が通常利用可能であり、常に既知波形であるため、ページングのためにＤＭＴＣの概念を通常使用しない場合がある。対照的に、ＬＴＥ−ＵまたはＭｕＬＴＥｆｉｒｅでは、ＵＥ１０６への情報の送信は、他のデバイスもまた、ｅＮＢ１０４と同時にそれら自体の通信のためにワイヤレス媒体を確保するように試み得るので（例えば、ワイヤレス媒体は占有され得る）、ｅＮＢ１０４がワイヤレス媒体を確保することができるかどうかに依存し得る。よって、ｅＮＢ１０４は、ＬＴＥ−ＵまたはＭｕＬＴＥｆｉｒｅにおいて以前にスケジューリングされたページング機会が生じるであろう時間より前に確保することができない場合があり、それは、通信において更なる遅延の原因となる、再送信を必要とする可能性がある。さらに、５Ｇなどの場合、ＬＴＥ−ＵまたはＭｕＬＴＥｆｉｒｅ展開は密（dense）であり得るので（例えば、多くのデバイスを伴う）、ｅＮＢ１０４が送信のための媒体を確保する可能性が低下する場合がある。よって、本明細書で説明される実施形態は、無認可スペクトルを介してページング機会および／またはデータを提供する方法を提供することに関する。
【００３０】
[0037]図２は、図１のワイヤレス通信システム１００内の動作のためにワイヤレスデバイス２０２において利用され得る様々なコンポーネントを例示する。例えば、ワイヤレスデバイス２０２は、ｅＮＢ１０４またはＵＥ１０６のうちのいずれかとして動作し得る。例示的な実現において、ワイヤレスデバイス２０２は、本明細書で説明される様々な方法にしたがって構成および使用され得る。
【００３１】
[0038]ワイヤレスデバイス２０２は、ワイヤレスデバイス２０２の動作を制御する電子ハードウェアプロセッサ２０４を含み得る。プロセッサ２０４は、中央処理ユニット（ＣＰＵ）またはハードウェアプロセッサとも称され得る。読み取り専用メモリ（ＲＯＭ）およびランダムアクセスメモリ（ＲＡＭ）の両方を含み得るメモリ２０６は、プロセッサ２０４に命令およびデータを提供する。メモリ２０６の一部はまた、不揮発性ランダムアクセスメモリ（ＮＶＲＡＭ）を含み得る。プロセッサ２０４は通常、メモリ２０６内に記憶されたプログラム命令に基づいて、論理および算術演算を実行する。メモリ２０６における命令は、本明細書で説明される方法を実現するために実行可能であり得る。
【００３２】
[0039]プロセッサ２０４は、１つまたは複数のプロセッサで実現される処理システムのコンポーネントである、またはそれを備え得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェアコンポーネント、専用ハードウェア有限ステートマシン、または情報の計算または他の操作を実行することができる任意の他の適切なエンティティの任意の組み合わせで実現され得る。
【００３３】
[0040]処理システムはまた、ソフトウェアを記憶するための非一時的な機械可読媒体を含み得る。ソフトウェアは、ソフトウェア、ファームウェア、ミドルウェア、マイクロコード、ハードウェア記述言語、またはその他の方法で呼ばれるかどうかに関わらず、任意のタイプの命令を意味するように広く解釈されるべきである。命令は、（例えば、ソースコードフォーマット、バイナリコードフォーマット、実行可能コードフォーマット、または任意の他の適切なコードのフォーマットの）コードを含み得る。命令は、１つまたは複数のプロセッサによって実行されると、処理システムに、本明細書で説明される様々な機能を実行させる。プロセッサ２０４は、動作およびデータ通信を制御するためのパケットを生成するためのパケットジェネレータをさらに備え得る。
【００３４】
[0041]ワイヤレスデバイス２０２は、ワイヤレスデバイス２０２と遠隔ロケーションとの間のデータの送信および受信を可能にするために、送信機２１０および受信機２１２を含み得る。送信機２１０および受信機２１２は、トランシーバ２１４に組み合わされ得る。アンテナ２１６は、トランシーバ２１４に電気的に結合され得る。ワイヤレスデバイス２０２はまた、複数の送信機、複数の受信機、複数のトランシーバ、および／または複数のアンテナを含み得（図示せず）、それらは、例えば、多入力多出力（ＭＩＭＯ）通信中に利用され得る。いくつかの実施形態において、複数のアンテナの各々は、ＬＴＥ−Ｕ、ＬＴＥ−Ｄ、ＭｕＬＴＥｆｉｒｅ、および／またはＷＬＡＮ通信の送信および／または受信専用であり得る。ワイヤレスデバイスは、ハウジングユニット２０８によってカバーされ得る。
【００３５】
[0042]ワイヤレスデバイス２０２はまた、ＬＴＥデバイス（例えば、ＬＴＥ−Ｕ、ＬＴＥ−Ｄ、ＭｕＬＴＥｆｉｒｅデバイス）と通信するためのＬＴＥモデム２３４を備え得る。例えば、ＬＴＥモデム２３４は、ワイヤレスデバイス２０２がＬＴＥ通信を送信、受信、および処理することを可能にし得る。ＬＴＥモデム２３４は、ＬＴＥネットワークのための物理（ＰＨＹ）レイヤおよび媒体アクセス制御（ＭＡＣ）レイヤの両方で動作するための処理能力を含み得る。ワイヤレスデバイス２０２はまた、ＷＬＡＮデバイスと通信するためのＷＬＡＮモデム２３８を備える。例えば、ＷＬＡＮモデム２３８は、ワイヤレスデバイス２０２がＷＬＡＮ通信を送信、受信、および処理することを可能にし得る。ＷＬＡＮモデム２３８は、ＷＬＡＮのための物理（ＰＨＹ）レイヤおよび媒体アクセス制御（ＭＡＣ）レイヤの両方で動作するための処理能力を含み得る。
【００３６】
[0043]無線デバイス２０２はまた、アンテナ２１６、送信機２１０、受信機２１２、またはトランシーバ２１４によって受信される信号のレベルを検出および定量化する試みにおいて使用され得る信号検出器２１８を含み得る。信号検出器２１８は、総エネルギー、シンボル当たりのサブキャリア当たりのエネルギー（energy per subcarrier per symbol）、電力スペクトル密度、および他のものを検出する形態でそのような信号を検出し得る。ワイヤレスデバイス２０２はまた、信号を処理する際に使用するためのデジタルシグナルプロセッサ（ＤＳＰ）２２０を含み得る。ＤＳＰ２２０は、送信用のデータユニットを生成するように構成され得る。いくつかの態様では、データユニットは、物理レイヤプロトコルデータユニット（ＰＰＤＵ）を備え得る。いくつかの態様では、ＰＰＤＵが、パケットと称される。ＤＳＰ２２０は、プロセッサ２０４に動作するように結合され得、プロセッサ２２０とリソースを共有し得る。
【００３７】
[0044]無線デバイス２０２は、いくつかの態様では、ユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝える、および／またはユーザから入力を受信するあらゆる要素またはコンポーネントを含み得る。
【００３８】
[0045]ワイヤレスデバイス２０２の様々なコンポーネントは、バスシステム２２６によって互いに結合され得る。バスシステム２２６は、例えば、データバスだけでなく、データバスに加えて、電力バス、制御信号バス、およびステータス信号バスも含み得る。当業者は、ワイヤレスデバイス２０２の様々なコンポーネントが互いに結合され得る、または何らかの他のメカニズムを使用して互いに入力を受け入れるまたは提供し得ることを認識するであろう。
【００３９】
[0046]複数の個別のコンポーネントが図２に示されているが、当業者であれば、これらコンポーネントのうちの１つまたは複数が上記で説明された機能に関してのみ実現されるのではなく、他のコンポーネントに関して上記で説明された機能を実現され得ることも理解するであろう。例えば、プロセッサ２０４は、プロセッサ２０４に関して上記に説明された機能を実現するだけでなく、信号検出器２１８および／またはＤＳＰ２２０に関して上記に説明された機能を実現するためにも使用され得る。図２に示されているコンポーネントの各々は、複数の個別の要素を使用して実現され得る。
【００４０】
[0047]上記に留意されたように、ワイヤレスデバイス２０２は、ｅＮＢ１０４またはＵＥ１０６を備え得、認可または無認可スペクトル上で通信を送信および／または受信するために使用され得る。具体的には、ｅＮＢ１０４またはＵＥ１０６は、無認可スペクトルにおいて動作するように構成されたＷＬＡＮ、ＬＴＥ−Ｕ、またはＭｕＬＴＥｆｉｒｅデバイスを備え得る。図３Ａは、一実施形態にしたがった、無認可スペクトル（「無認可帯域」とも称される）における通信の例示的な時系列図３００ａを例示する。ある特定の実施形態において、例示された無認可帯域は、物理専用制御チャネル（ＰＤＣＣＨ）であることができる。
【００４１】
[0048]例示されるように、時系列図３００ａは、複数のディスクリートＤＭＴＣ期間３３０、３３２、３３４、３３８（本明細書では「送信期間」とも称される）を備える。各ＤＭＴＣ期間３３０、３３２、３３４、３３８の間、様々な能力のデバイスは、データを送信するために無認可スペクトルのアクセスを得ようと試みることができる。例えば、上述されたように、ｅＮＢ１０４は、ＤＭＴＣウィンドウの間にアンカー信号を送信またはブロードキャストするためにワイヤレス媒体にアクセスすることを試みることができる。いくつかの態様では、各ＤＭＴＣ期間は、８０ｍｓ、１６０ｍｓ、または３２０ｍｓであることができる。
【００４２】
[0049]例示されるように、複数のＤＴＭＣウィンドウ３４０、３４２、３４４、３４８は、ＤＲＸサイクル３１０にわたって広がる。ＤＭＴＣウィンドウ３４０、３４２、３４４、３４８は、特定の時間期間の間にのみ起こり得る。例えば、実施形態において、ＤＭＴＣウィンドウ３４４は、長さ６ｍｓであり得る。この実施形態にしたがって、ｅＮＢ１０４は、ワイヤレス媒体にアクセスするための６ｍｓウィンドウを有し得、リッスンしているＵＥ１０６に１つまたは複数のアンカー信号（または他の信号）を送信する。いくつかの態様において、各連続するＤＭＴＣウィンドウ３４０、３４２、３４４、３４８は、インターバル３１５によって提示される、所定の時間量またはフレームによって他のＤＭＴＣウィンドウから分離され得る。例えば、ＤＭＴＣウィンドウ３４２の開始時間は、８０ｍｓ、１６０ｍｓ、または３２０ｍｓだけ隣接したＤＭＴＣウィンドウ３４０またはＤＭＴＣウィンドウ３４４の開始時間から分離され得る。ＤＭＴＣウィンドウ３４０、３４２、３４４、３４８が存在しない時間の間、ＵＥ１０６は、ＵＥ１０６が別の方法で情報を送信または受信するよう試みない限り、（エネルギーを節約するために、さもなければバッテリ寿命を延ばすために）「電力節約」モード、「アイドル」モード、または「スリープ」モード状態であり得る。様々な態様において、本明細書で説明される時間の各々は、前もって決定されることができる（例えば、仕様または構成によって設定される）、または動的に調整され得、ＤＭＴＣ期間３３０、３３２、３３４、３３８によって異なることができる。
【００４３】
[0050]ＤＭＴＣサブフレーム３５０〜３５５におけるパイロット（例えば、共通基準信号（ＣＲＳ））スクランブリングは、ＤＲＳ（発見基準信号）に特有であり得る（例えば、ＵＥ１０６によるセルの発見および測定を容易にするために、同じスクランブリングが２つ以上のサブフレームで使用されることができる）、またはユニキャストデータ送信に特有であり得る（例えば、異なるスクランブリングがすべてのサブフレーム３５０〜３５５において使用されることができ、それは、既に発見され、場合によってはｅＮＢの１０４セルによってサービングされるＵＥ１０６により適している）。ｅＮＢ１０４は、それのページングインジケーションを、２種類のパイロットスクランブリングが一致するサブフレーム（例えば、サブフレーム０ ３５０およびサブフレーム５ ３５５）に制限することを選択し得る。ｅＮＢ１０４はまた、ページングされたＵＥ１０６の予期された状態にしたがってページングインジケータを送ることを選択し得る（例えば、アイドルＵＥ１０６は、ＤＲＳスクランブリングされたパイロットを有するサブフレーム３５０〜３５５を介してページングされることができ、接続されたＵＥ１０６は、サブフレーム特有のパイロットを有するサブフレーム３５０〜３５５を介してページングされることができる）。
【００４４】
[0051]ブロードキャストシステム情報が変化する特定のケースでは、ｅＮＢ１０４は、すべてのＵＥ１０６に通知するためにページングを使用することができる（例えば、ＵＥ１０６がどのようにシステム情報変更認可ＬＴＥ動作(system information changes licensed LTE operation)を得ることができるかに似ている）、またはｅＮＢ１０４は、ブロードキャスト情報システムが変化するかどうかを決定するために（例えば、ＰＢＣＨチャネルにおける）特定のシグナリングをモニタリングするＵＥ１０６の特定のクラス（例えば、接続モードのＵＥ１０６）に依存し得る。ＵＥ１０６の受信および仮説検定（hypothesis testing）を容易にするために、ｅＮＢ１０４は、（例えば、セル帯域幅全体を利用することと対照的に）狭帯域の方法でシステム情報変更シグナリングを送り得る。
【００４５】
[0052]ＤＭＴＣ期間３３０、３３２、３３４、３３８ごとに１つのＤＭＴＣウィンドウが例示されているが、実施形態において、２つ以上のＤＭＴＣウィンドウがＤＭＴＣ期間３３０、３３２、３３４、３３８ごとにスケジューリングされ得る。これは、各ＤＭＴＣ期間３３０、３３２、３３４、３３８の大部分がこれら通信に割り振られることができるので、緊急事態、例えば、ＬＴＥ−ＵまたはＭｕＬＴＥｆｉｒｅデバイスが緊急通信に利用される場合において、有益であり得る。
【００４６】
[0053]例示されるように、１つまたは複数のサブフレーム３５０〜３５５は、ＤＭＴＣウィンドウ３４０、３４２、３４４、３４８の間に送信され得る。実施形態において、各サブフレーム３５０〜３５５の持続時間は、１ｍｓであることができる。いくつかの態様において、サブフレーム３５０〜３５５の各々は、それらがｅＮＢ１０４によって送信された場合、アンカー信号であることができる。アンカー信号は、発見基準信号（ＤＲＳ）、エンハンスド発見基準信号（ｅＤＲＳ）、または何らかの他の信号を備えることができる。
【００４７】
[0054]各サブフレーム３５０〜３５５は、制御部３６０およびデータ部３６５を含み得る。実施形態において、制御部３６０は、サブフレーム３５４がデータ部３６５内にデータを搬送する１つまたは複数のＵＥ１０６を示すことができる。例えば、各ＵＥ１０６は、無線ネットワーク一時識別子（ＲＮＴＩ）によって識別され得る。したがって、制御部３６０は、例えば、サブフレーム３５４の対象となる受信先であるＵＥ１０６のＲＮＴＩを示し得る。いくつかの態様において、専用のＲＮＴＩは、サブフレーム３５４がページングインジケーションを含むことを示すために利用され得る。例えば、サブフレーム３５４は、特定のページングＲＮＴＩ（Ｐ−ＲＮＴＩ）に宛てられ得、サブフレーム３５４におけるページングインジケータをリッスンするすべてのＵＥにブロードキャストされ得る。よって、Ｐ−ＲＮＴＩを復号するＵＥ１０６は、サブフレーム３５４はページングのためのものであると決定し得る。サブフレーム３５４がページングのためのものである場合、データ部３６５は、ページングされたＵＥ１０６ごとに識別子を備え得る。
【００４８】
[0055]例えば、ＵＥ１０６ａがそれはサブフレーム３５４においてページングされたと決定した場合、ＵＥ１０６ａは、メッセージ（例えば、ｅＮＢ１０４においてバッファされたメッセージ）を受信するためにｅＮＢ１０４との接続を確立することに向けての初期のステップとしてランダムアクセスチャネル（ＲＡＣＨ）手順を開始することができる。一度ＵＥ１０６ａがｅＮＢ１０４と接続すると、ＵＥ１０６ａは、メッセージを受信し、その後、電力節約モードまたはアイドルモードに入る。いくつかの態様において、サブフレーム３５４は、最大１６個までのＵＥ１０６をページングするために利用され得る。しかしながら、一度により多くのＵＥ１０６がページングされることになると、ページングされた後にそれらがすべてｅＮＢ１０４に接続するよう殺到する（ｒｕｓｈ）可能性があるので、ＵＥ１０６がワイヤレス媒体の輻輳を引き起こす可能性が高くなる。よって、いくつかの態様において、ＤＲＸサイクルにわたってページングインジケーションを広げることが有益であり得る。
【００４９】
[0056]参照はサブフレーム３５４に対して行われるが、サブフレーム３５０〜３５５のいずれもページングのために利用され得、ページングインジケーションの位置は、ＤＭＴＣウィンドウによって異なり得る。実施形態において、ＵＥ１０６は、例えば、それがＤＭＴＣウィンドウ３４４のうちの１つのサブフレーム３５２においてＰ−ＲＮＴＩ割り振りを検出または観測した場合、後続のサブフレーム３５３〜３５５をリッスンすることを停止し得る。これは、ＵＥ１０６がＵＥ１０６にデータが送信されない時間の間にエネルギーを使用することを避ける場合があるので、ｅＮＢ１０４が各ＤＭＴＣウィンドウにおいてページングするために１つのサブフレームのみを利用する実施形態では更なる効率性を提供し得る。別の実施形態では、ＵＥ１０６は、例えば、それがＤＭＴＣウィンドウ３４４のうちの１つのサブフレームにおいてそれ宛てのページングメッセージを検出した場合、後続のサブフレームをリッスンすることを停止し得る。これは、ＤＭＴＣウィンドウにおいて送信されるべき更なるページングメッセージ可能にし得、それは、例えば、緊急事態において有効であり得る。
【００５０】
[0057]いくつかの実施形態において、無認可スペクトルにおけるページングは、アンカー信号に限定され得る（例えば、ページングはＤＭＴＣウィンドウ外で生じることはない）。実施形態において、ＤＲＸサイクル３１０において利用されるＤＭＴＣウィンドウの数（ＮＤＭＴＣ）は、ＤＭＴＣ期間３３０、３３２、３３４、３３６の持続時間（ＤＭＴＣｐｅｒｉｏｄ）で除算されたＤＲＸサイクル３１０の持続時間（ＴＤＲＸ）に等しくなるように設定され得る。例えば、ＴＤＲＸが１．２秒に設定され（例えば、ＵＥ１０６が１．２秒ごとにページングされ得る実現）、ＤＭＴＣｐｅｒｉｏｄが３２０ｍｓに設定された場合、ＮＤＭＴＣは４に等しくなり、結果として３．７５ＤＭＴＣ機会に等しい（例えば、３つよりも多くの機会がＤＭＴＣウィンドウに利用可能である）。一態様において、ＮＤＭＴＣの値は、ＤＭＴＣウィンドウ３４８に例示されたＮの値に対応し得る。秒数およびミリ秒数が説明されているが、フレームの数のような、他の変数が利用され得る。ある特定の態様において、ＤＲＸサイクル３１０の長さは、ＤＭＴＣ期間の長さの整数倍であり得る。例えば、ＤＲＸ期間は、３２フレーム、６４フレーム、１２８フレーム、２５６フレーム、等であり得、ＤＭＴＣ期間は、４フレーム、８フレーム、１６フレーム、等であり得る。
【００５１】
[0058]いくつかの実施形態において、ＵＥ１０６は、ＤＭＴＣサブフレーム３５０〜３５５のサブセットを構成する特定のサブフレームにおいてのみページングを予期するようにさらに制限され得る。サブフレーム３５０〜３５５の数に対する制限は、構成（例えば、スケジューリング情報ブロック（ＳＩＢ）におけるブロードキャスト）を介し得る、または仕様を介し得る。そのような制限の場合において、異なるＵＥ１０６がＤＭＴＣサブフレーム３５０〜３５５の異なるサブセットにおけるページングインジケータを予期するように割り当てられ得る。実施形態において、異なるサブセットは、ＵＥ１０６の永久的または一時的なアイデンティティの機能であることができる。
【００５２】
[0059]いくつかの実施形態において、ＵＥ１０６がページングインジケータをモニタリングするように通常構成されるであろう、いずれのサブフレーム３５０〜３５５もｅＮＢ１０４が送信しなかったと決定すると、ＵＥ１０６は、ＵＥ１０６が通常モニタリングするであろうサブフレーム３５０〜３５５に後続して、フォールバックサブフレーム３５０〜３５５のセットにおけるページングインジケータの存在をモニタリングするように試みることができる。例えば、次のＤＭＴＣ ＤＲＸサイクル３１０のページング機会まで待機する代わりに、ＵＥ１０６は、例えば、ＵＥ１０６が検出することができないＤＭＴＣウィンドウ３４４に直後に連続するＤＭＴＣウィンドウ３４８におけるページングインジケーションについてモニタリングすることができる。別の実施形態において、次のＤＭＴＣ ＤＲＸサイクル３１０のページング機会まで待機する代わりに、ＵＥ１０６は、ＵＥ１０６のページングサブフレーム３５０〜３５５の通常割り当てられたサブセットの開始から所定のオフセット（例えば、１０ミリ秒）において開始するもう１つのサブフレームにおけるページングインジケーションについてモニタリングすることができる。いくつかの態様において、ＵＥ１０６の動きをマッチさせるために、例えば、媒体競合または何らかの他の理由によりｅＮＢ１０４が通常割り当てられたサブフレームにおけるページングを送信することを許可されなかったと決定すると、ｅＮＢ１０４は、フォールバックサブフレームにおいてＵＥ１０６を再度ページングするよう試みることができる。
【００５３】
[0060]いくつかの実施形態において、ある特定のタイプのＵＥ１０６（例えば、接続モードのＵＥ）は、ＤＭＴＣウィンドウ３４０〜３４８外のサブフレームにおけるページングインジケータをモニタリングするように割り当てられ得る。いくつかの態様において、ｅＮＢ１０４は、ＤＭＴＣウィンドウ３４０〜３４８外のサブフレームにおいてページングが生じた場合、ＵＥ１０６をページングするためにサブフレーム特有のパイロットスクランブリングを使用し得る。例えば、サブフレーム特有のパイロットスクランブリングは、場合によってはフォールバックの理由により、ＤＭＴＣウィンドウ３４０〜３４８外のページングインジケータを偶然モニタリングするアイドルモードのＵＥ１０６または接続モードのＵＥ１０６に利用され得る。
【００５４】
[0061]いくつかの態様において、ページングされた各ＵＥ１０６は、ランダム分布関数に基づいて利用可能なＤＭＴＣウィンドウ３４０、３４２、３４４、３４８のうちの１つに割り当てられ得る。例えば、実施形態において、ｅＮＢ１０４、ＵＥ１０６ａ、または両方が、（参照番号３２０によって表される）ＵＥ１０６ａに割り当てられたＤＭＴＣウィンドウの開始時間を決定し得る。一態様において、開始時間は、以下と等しくなるように設定され得る。
【００５５】
[0062]    ( UEID mod NDMTC ) * DMTCperiod_frames * Nsubframes_per_frame + DMTCoffset_frames
[0063]実施形態において、ＵＥＩＤは、ＵＥ１０６のための識別子（例えば、ＲＮＴＩまたは何らかの他の識別子）の値であり、ＤＭＴＣｐｅｒｉｏｄ＿ｆｒａｍｅｓは、後続のＤＭＴＣウィンドウ（例えば、インターバル３１５）の開始時間の間のフレームの数に等しく、Ｎｓｕｂｆｒａｍｅｓ＿ｐｅｒ＿ｆｒａｍｅは、各フレームにおけるサブフレームの数に等しく、ＤＭＴＣｏｆｆｓｅｔ＿ｆｒａｍｅｓは、ページングが生じる割り当てられたＤＭＴＣウィンドウの開始後のフレームの数に等しく、それは０であり得る。いくつかの態様において、オフセット３２５によって例示されるように、ＤＭＴＣｏｆｆｓｅｔ＿ｆｒａｍｅｓは、非０であり得る。ＤＭＴＣウィンドウ３４０、３４２、３４４、３４８にＵＥ１０６を割り当てるための他の公式が可能である。よって、ＵＥ１０６ａは、例えば、ｅＮＢ１０４がＵＥ１０６ａのためのページングインジケーションを送信するかどうかを決定するために、決定されたＵＥ割り当てタイミング３２０において（またはその後に）ページングインジケータをリッスンすることができる。
【００５６】
[0064]上述されたように、ＵＥ１０６は、ＤＭＴＣウィンドウ３４４の持続時間のためのページングインジケーションをリッスンし続けることができるが、ページングインジケーションが復号された後にリッスンするのをやめることを選択する可能性がある。ＤＭＴＣウィンドウ３４４の間（またはその前に）、ｅＮＢ１０４は、ＵＥ１０６にページングインジケーションまたは他の情報を送信するためにワイヤレス媒体のアクセスを得ることを試みることができる。ある特定の態様において、ｅＮＢ１０４は、ＤＭＴＣウィンドウ３４４のスケジューリングされた開始時間においてワイヤレス媒体上で送信するためのアクセスを得ることができない。例えば、ｅＮＢ１０４は、ＤＭＴＣウィンドウ３４４のスケジューリングされた開始の３ｍｓ後までワイヤレス媒体上で送信するためのアクセスを得ることができない。実施形態において、ｅＮＢ１０４は、その後、ＤＭＴＣウィンドウ３４４の残り３ｍｓの間にサブフレームを送信し得る。この実施形態にしたがって、ｅＮＢ１０４は、残りのサブフレームのうちの１つにおいてページングインジケーション（例えば、Ｐ−ＲＮＴＩ）を送信し得る。よって、ＤＭＴＣウィンドウ３４４に割り当てられたＵＥ１０６は、たとえｅＮＢ１０４が所定の時間にワイヤレス媒体へのアクセスを得ることができなかったとしても、ページングインジケーションを得ることができ、ページングインジケーションを受信するための別の機会を受信する前に全ＤＲＸサイクル３１０を待つ必要はない。有益なことには、無認可スペクトルにおけるワイヤレス通信のレイテンシが減少し得る。様々な態様において、ｅＮＢ１０４は、チャネル競合またはチャネルアセスメントの様々な方法を通じてワイヤレス媒体上で送信するためのアクセスを得ることができる。例えば、ｅＮＢ１０４は、ＤＭＴＣウィンドウ３４０、３４２、３４４、３４８の間にワイヤレス媒体へのアクセスを得るための優先度の高い媒体競合メカニズム（higher-priority medium contention mechanism）を利用し得る。実施形態において、ｅＮＢ１０４は、ワンショットリッスンビフォアトークメカニズム（ＬＢＴ：one-shot listen-before-talk mechanism）を利用し得る。
【００５７】
[0065]いくつかの態様において、ＤＭＴＣウィンドウの一部は、それが開始するＤＭＴＣ期間外にあり得る。例えば、図３Ｂは、一実施形態にしたがった、無認可スペクトルにおける通信の別の例示的な時系列図３００ｂを例示する。例示されるように、時系列図３００ｂは、ＤＭＴＣウィンドウ３８０、３８２、３８８をそれぞれ含む、複数のＤＭＴＣ期間３７０、３７２、３７８を含むＤＲＸサイクル３９０を備える。例示されるように、ＤＭＴＣウィンドウ３８０、３８２、３８８は、複数のＤＭＴＣ期間３７０、３７２、３７８のうちの１つの中で開始し、次のＤＭＴＣ期間に及ぶ。よって、ＤＭＴＣウィンドウは、ＤＭＴＣ期間内のいずれの時間でも起こり得る。
【００５８】
[0066]図４Ａは、一実施形態にしたがった、無認可スペクトル（「無認可帯域」とも称される）における通信の例示的な時系列図４００を例示する。対照的に、図４Ｂは、一実施形態にしたがった、無認可スペクトルにおける通信の別の例示的な時系列図４５０を例示する。
【００５９】
[0067]例示されるように、図４Ａの時系列図４００は、１６０ｍｓの送信期間４１０を備える。他の実施形態では、送信期間４１０は、より短いまたはより長いが可能性がある。更なる送信期間はまた、送信期間４１０の前または後に存在し得、連続的な送信プロトコルの一部を形成し得る。例示されるように、複数のフレーム４２０は、送信期間４１０内で送信される。さらに例示されるように、各フレーム４２０は、複数のサブフレーム４２５を備えることができる。実施形態において、各フレーム４２０は、持続時間が１０ｍｓであることができ、複数のサブフレーム４２５におけるサブフレームの各々は、持続時間が１ｍｓであることができる。認可スペクトル上の通信のある特定の実施形態において、フレーム４２０ごとの４つのサブフレームは、ページング機会として利用され得る。よって、この実施形態にしたがって、１６０ｍｓの送信期間４１０において６４個のページング機会が存在し得る。
【００６０】
[0068]同様に、図４Ｂの時系列図４５０は、１６０ｍｓのＤＭＴＣ期間４６０を備える。しかしながら、無認可スペクトルでは、ページング機会は、アンカー信号がブロードキャストされた時のみに生じる可能性がある。例えば、実施形態において、１つのＤＭＴＣウィンドウ４７０のみがＤＭＴＣ期間４６０内で生じ得る。この実施形態は、無認可スペクトルにおけるワイヤレス通信に公平性を提供するために必要または望ましくあり得る。例示されるように、複数のサブフレーム４７５は、ＤＭＴＣウィンドウ４７０（例えば、６つのサブフレーム）の間に送信され得、いくつかの態様において、各サブフレームは、ページング機会として使用され得る。しかしながら、６つのサブフレームが可能になり得るが、サブフレームの一部のみがページングに利用されるのが望ましくあり得る、またはＤＭＴＣウィンドウ４７０の間に送信するｅＮＢ１０４は、複数のサブフレーム４７５のすべてを送信するためにワイヤレス媒体を確保することはできない。よって、無認可スペクトルにおいて利用可能なページング機会の数は、同じ長さの認可スペクトルにおいて利用可能なページング機会の数の１０．６６７分の１〜６４分の１であり得る。
【００６１】
[0069]さらに、各ページング機会が複数のＵＥ１０６をページングするために使用され、ページングされたＵＥ１０６がすべて、それらがページングされた後にｅＮＢ１０４に接続することを試みる場合（例えば、ページングサブフレームを受信した後すぐに、またはページングサブフレーム後の第１の「ＲＡＣＨアンカー」において）、ワイヤレス通信の衝突の可能性が増加する場合がある（例えば、ラッシュ条件（rush condition）が生じる可能性がある）。したがって、実施形態において、ページングサブフレームを受信した後すぐに、またはページングサブフレーム後の第１のＲＡＣＨアンカーにおいて（例えば、ｅＮＢ１０４からメッセージを受信するために）ＲＡＣＨ手順を開始する代わりに、ＵＥ１０６は、非０バックオフウィンドウ４８０から始めることができる。いくつかの態様において、バックオフウィンドウ４８０は、ＵＥ１０６をページングしたページングサブフレームから、ＵＥ１０６をページングしたページングサブフレームの後の第１のＲＡＣＨアンカーから、または何らかの他の定義された因果的なアンカーポイントから、カウントされることができる。バックオフウィンドウ４８０のサイズは、（例えば、ページングされたＵＥ１６０にわたって）ランダムであることができ、ＵＥ１０６のための最大ウィンドウサイズのサイズ次第であり得る。バックオフウィンドウ４８０の終了後、ＵＥ１０６は、次に生じるＲＡＣＨアンカー４８５においてＲＡＣＨ手順を開始することができる。
【００６２】
[0070]ある特定の態様において、バックオフウィンドウ４８０のサイズは、絶対量、またはＤＭＴＣ周期性の関数であることができる（例えば、各ＤＭＴＣウィンドウ４７０が生じるＤＭＴＣ期間４６０のサイズ、または連続的なＤＭＴＣウィンドウ４７０間の時間）。例えば、実施形態において、バックオフウィンドウ４８０のサイズは、ＤＭＴＣ周期性以下であり得る（例えば、それの分数またはパーセンテージ）。有益なことには、ｅＮＢ１０４と接続しようと試みるＵＥ１０６は、衝突の可能性が低く、それほど更なる遅延もなくそれを行うことが可能であり得る。よって、バックオフウィンドウまたは遅延を利用しない実施形態と比較して、良好なＵＥのポピュレーション遅延プロファイル（UE population delay profile）が達成され得る。別の実施形態において、バックオフウィンドウ４８０のサイズは、ＤＭＴＣ周期性よりも大きくあり得る。いくつかの態様において、バックオフウィンドウ４８０のサイズは、各ＵＥ１０６の分類、またはページング優先度に基づき得る。
【００６３】
[0071]実施形態において、バックオフウィンドウ４８０のサイズは、ページングされたＵＥ１０６によって決定される。別の実施形態において、バックオフウィンドウ４８０のサイズは、ｅＮＢ１０４によって決定され、ページングされたＵＥ１０６に伝達される。例えば、ｅＮＢ１０４は、バックオフウィンドウ４８０のサイズをブロードキャストメッセージまたはＵＥ１０６をページングするページングサブフレームにおいてシグナリングし得る。
【００６４】
[0072]いくつかの態様において、ｅＮＢ１０４は、ＤＭＴＣウィンドウ４７０外のページング時点（paging occasion）４９５を提供し得る。そのようなページングは、すべてのＵＥ１０６に、またはＵＥ１０６の一部のみに対して許可され得る。しかしながら、ＤＭＴＣウィンドウ４７０外のページング時点４９５を提供することは、通常の媒体競合に勝利する（winning regular medium contention）ｅＮＢ１０４に影響され得る。例えば、いくつかの態様において、ｅＮＢ１０４は、ＤＭＴＣウィンドウ４７０外の優先度の高い媒体競合メカニズムを利用することができないので、ワイヤレス媒体を確保する可能性がより低い。たとえそうだとしても、ＤＭＴＣウィンドウ４７０外のページング時点を提供する更なる利点があり得る。例えば、このプロトコルを利用するために低い優先度トラフィックを有するＵＥ１０６が割り当てられた場合、（少なくとも高い優先度トラフィックを有するＵＥ１０６よりも長い時間期間の間は）これらＵＥ１０６がページング時点を逃しても問題ない（afford to miss）ので、ワイヤレス媒体の使用が最適化され得る。様々な実施形態において、ページング時点４９５は、６ｍｓのような、ページングインジケーションが送られ得る時間のウィンドウであり得る。いくつかの態様において、ＤＭＴＣウィンドウ４７０外のページング時点をリッスンするように割り当てられたＵＥ１０６は、ＤＭＴＣウィンドウ４７０内のページング時点をリッスンすることも許可されない（例えば、割り当てられない）、あるいは、その逆も同様である。他の態様において、ＵＥ１０６は、（例えば、同じＤＭＴＣ期間４６０またはＤＲＸサイクル内で、または異なるＤＭＴＣ期間４６０またはＤＲＸサイクルにわたって）ＤＭＴＣウィンドウ４７０内および外の両方のページング時点を割り当てられ得る。例えば、実施形態において、ＵＥ１０６ａは、ＤＲＸサイクルごとに単一のページング機会に割り当てられ得る（例えば、ページング時点４９５内またはＤＭＴＣウィンドウ４７０内だが、両方ではない）。
【００６５】
[0073]いくつかの態様において、特定のページング機会へのＵＥ１０６の割り当ては、ＤＲＸサイクルによって異なり得る。例えば、実施形態において、ＵＥ１０６ａは、すべてのＭ番目のＤＲＸサイクルを除き、すべてのＤＲＸサイクルにおいてＤＭＴＣウィンドウ４７０外で生じるページング機会に割り当てられ得る。Ｍ番目のＤＲＸサイクルにおいて、ＵＥ１０６ａは、ＤＭＴＣウィンドウ４７０内で生じるページング機会に割り当てられ得る。実施形態において、ＵＥ１０６ａは、以下の真理値（truth value）に基づいてＤＭＴＣウィンドウ４７０内をリッスンし得る。
【００６６】
[0074]    f1(UEID) == f2(SFN, DRXpaging)、ここで、
[0075]    f1(UEID) = UEID mod M、および、
[0076]    f2(SFN, DRXpaging) = floor(SFN/DRXpaging) mod M.
[0077]この実施形態にしたがって、ＵＥＩＤは、ＵＥ１０６ａの識別子であり得、ＳＦＮは、システムフレーム番号に等しくあり得、ＤＲＸｐａｇｉｎｇは、現在のＤＲＸサイクルの数に等しくあり得る。よって、Ｍの値を下げることは、ＵＥ１０６ａがページングインジケーションを受信するであろう確率を高めることができる。さらに、このようにＭ値を利用することは、ＵＥ１０６ａが何らかのポイントでページングインジケーションを受信することを確実にするのに役立つことができ、通常の媒体競合に勝利するｅＮＢ１０４に常に依存する必要はない。他の実施形態において、ＵＥ１０６ａは、ＵＥ１０６ａがＤＭＴＣウィンドウ４７０外で生じるページング機会に割り当てられ得る、すべてのＭ番目のＤＲＸサイクルを除いて、すべてのＤＲＸサイクルにおいてＤＭＴＣウィンドウ４７０内で生じるページング機会に割り当てられることができる。よって、無認可スペクトルにおけるワイヤレス通信の更なる管理動作が提供され得る。
【００６７】
[0078]図５は、一実施形態にしたがった、ワイヤレス通信の例示的な方法５００のフローチャートである。方法５００は、ｅＮＢ１０４によって実現されるように説明される。しかしながら、当業者によって理解されることになるように、方法５００またはその何らかの変形例は、図２のワイヤレスデバイス２０２、または図１のＵＥ１０６のような、１つまたは複数の他の適切な電子デバイスによって実現され得る。ブロックがある特定の順序で生じるものとして説明され得るが、ブロックは再順序づけられ、ブロックは省略され、および／または追加のブロックが追加されることができる。
【００６８】
[0079]動作ブロック５１０では、ｅＮＢ１０４は、例えば、ロングタームエボリューションの無認可（ＬＴＥ−Ｕ）デバイスに、無認可通信スペクトル上の送信のための時間間隔を割り当てる。いくつかの態様において、ＬＴＥ−Ｕデバイスは、図１のＵＥ１０６ａであることができる。実施形態において、時間間隔は、ＤＲＸサイクル内のＤＭＴＣウィンドウを備える。別の実施形態において、ＤＭＴＣウィンドウの開始は、［(UEID mod NDMTC) * DMTCperiod_frames * Nsubframes_per_frame + DMTCoffset_frame］に基づいてＬＴＥ−Ｕデバイスに割り当てられ、ここで、ＵＥＩＤはＬＴＥ−Ｕデバイスの識別子を備え、ここで、ＮＤＭＴＣはＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅはアンカー信号が位置するＤＭＴＣウィンドウの開始時間からのサブフレームの数を備える。さらに別の実施形態において、ＮＤＭＴＣは、ＤＭＴＣウィンドウが生じる送信期間の持続期間で除算されたＤＲＸサイクルの持続時間に基づく。
【００６９】
[0080]動作ブロック５２０では、ｅＮＢ１０４は、無認可通信スペクトル上の時間間隔の間にアンカー信号をブロードキャストし、アンカー信号は、ＬＴＥ−Ｕデバイスについてのページングインジケーションを備える。実施形態において、ページングインジケーションは、ＬＴＥ−ＵデバイスのためのＲＮＴＩを備える。別の実施形態において、アンカー信号は、ｅＤＲＳを備える。実施形態において、ページングインジケーションを備えるアンカー信号は、ＤＲＳパイロットスクランブリングを使用するパイロットを用いて送られる。いくつかの態様において、ブロック５１０のいくつかの態様におけるアンカー信号、アンカー信号は、エンハンスド発見基準信号を含む。
【００７０】
[0081]追加または代替として、方法５００の一部として、ｅＮＢ１０４は、例えば、ＬＴＥ−Ｕデバイスの優先度、アクセスポイントによってバッファされたＬＴＥ−Ｕデバイスについてのメッセージの優先度、割り当てられた間隔の間に媒体を得るためのアクセスポイントの失敗、アクセスポイントのページング容量、およびＬＴＥ−Ｕデバイスが割り当てられた間隔外のページングインジケーションをモニタリングしているというアクセスポイントによる決定、のうちの少なくとも１つに基づいて、割り当てられた間隔外でＬＴＥ−Ｕデバイスに更なるページングインジケーションを送信し得る。例えば、実施形態において、より低い優先度のデバイスまたはメッセージについてのページングインジケーションは、ＤＭＴＣウィンドウ外で送信され得る。実施形態において、更なるページングインジケーションを含むサブフレームは、サブフレームがＤＭＴＣウィンドウ外で送信された時に、サブフレーム特有のスクランブリングを使用するパイロットを用いて送られる。
【００７１】
[0082]いくつかの態様において、ブロック５１０において割り当てられた時間間隔は、ダウンリンクモニタリング送信構成（ＤＭＴＣ）ウィンドウから外れて割り当てられ得る。間隔は、間欠受信（ＤＲＸ）サイクル内に含まれる代わりに割り当てられ得る。いくつかの態様において、時間間隔の割り当ては、アクセスポイントのページング容量の決定に基づく、またはそれに応じる。
【００７２】
[0083]追加または代替として、方法５００の一部として、ｅＮＢ１０４は、例えば、アンカー信号をブロードキャストした後にＲＡＣＨ手順に基づいてＬＴＥ−Ｕデバイスと接続し得る。いくつかの態様において、方法５００の一部として、ｅＮＢ１０４は、例えば、ＬＴＥ−Ｕデバイスにバックオフ間隔を割り当て得、バックオフ間隔は、アンカー信号がブロードキャストされた後の時間のウィンドウを備える。よって、別の実施形態において、ｅＮＢ１０４は、アンカー信号をブロードキャストした後にバックオフ間隔が満了した後にＲＡＣＨ手順に基づいてＬＴＥ−Ｕデバイスと接続し得る。
【００７３】
[0084]図６は、一実施形態にしたがった、ワイヤレス通信の例示的な方法６００の別のフローチャートである。方法６００は、ＵＥ１０６によって実現されるように説明される。しかしながら、当業者によって理解されることになるように、方法６００またはその何らかの変形例は、図２のワイヤレスデバイス２０２または図１のｅＮＢ１０４のような、１つまたは複数の他の適切な電子デバイスによって実現され得る。ブロックがある特定の順序で生じるものとして説明され得るが、ブロックは再順序づけられ、ブロックは省略され、および／または追加のブロックが追加されることができる。
【００７４】
[0085]動作ブロック６１０において、ＵＥ１０６ａは、例えば、無認可通信スペクトル上のページングインジケーションの受信のための時間間隔を決定し得る。実施形態において、時間間隔は、ＤＲＸサイクル内のＤＭＴＣウィンドウを備える。別の実施形態において、ＤＭＴＣウィンドウの開始は、［(UEID mod NDMTC) * DMTCperiod_frames * Nsubframes_per_frame + DMTCoffset_frame］に基づいて決定され、ここで、ＵＥＩＤはＬＴＥ−Ｕデバイスの識別子を備え、ここで、ＮＤＭＴＣはＤＲＸサイクル内のＤＭＴＣウィンドウの数を備え、ここで、ＤＭＴＣｐｅｒｉｏｄ＿ｆｒａｍｅｓは後続のＤＭＴＣウィンドウ間のフレームの数を備え、ここで、Ｎｓｕｂｆｒａｍｅｓ＿ｐｅｒ＿ｆｒａｍｅは各フレームにおけるサブフレームの数を備え、ここで、ＤＭＴＣｏｆｆｓｅｔ＿ｆｒａｍｅは、アンカー信号が位置するＤＭＴＣウィンドウの開始時間からのサブフレームの数を備える。さらに別の実施形態において、ＮＤＭＴＣは、ＤＭＴＣウィンドウが生じる送信期間の持続期間で除算されたＤＲＸサイクルの持続時間に基づく。
【００７５】
[0086]動作ブロック６２０では、ＵＥ１０６ａは、例えば、無認可通信スペクトル上の時間間隔の間にアンカー信号受信し得、アンカー信号は、ページングインジケーションを備える。いくつかの態様において、アンカー信号は、図１のｅＮＢ１０４によって送信されることができる。実施形態において、ページングインジケーションは、ＬＴＥ−ＵデバイスのためのＲＮＴＩを備える。別の実施形態において、アンカー信号は、ｅＤＲＳを備える。実施形態において、ページングインジケーションを備えるアンカー信号は、ＤＲＳパイロットスクランブリングを使用するパイロットを用いて受信される。
【００７６】
[0087]追加または代替として、方法６００の一部として、ＵＥ１０６は、例えば、割り当てられた間隔外で更なるページングインジケーションを受信し得る。いくつかの態様において、このように更なるページングインジケーションを受信することは、デバイスの優先度（ＬＴＥ−ＵＥデバイスの優先度）、アクセスポイントによってバッファされたＬＴＥ−Ｕデバイスについてのメッセージの優先度、ページングインジケーションを含むサブフレームが割り当てられた間隔内で送られなかったというＬＴＥ−Ｕデバイスによる決定、および割り当てられた間隔外でページングインジケーションをモニタリングするためのＬＴＥ−Ｕデバイスによる決定のうちの少なくとも１つに基づき得る。例えば、実施形態において、より低い優先度のデバイスまたはメッセージについてのページングインジケーションは、ＤＭＴＣウィンドウ外で送信され得る。いくつかの態様において、更なるページングインジケーションを含むサブフレームは、サブフレームがＤＭＴＣウィンドウ外で送られた時に、サブフレーム特有のスクランブリングを使用するパイロットを用いて送られる。
【００７７】
[0088]追加または代替として、方法６００の一部として、ＵＥ１０６は、例えば、アンカー信号を受信した後にアクセスポイントを用いてＲＡＣＨ手順を開始し得る。いくつかの実施形態において、ＵＥ１０６は、アンカー信号の受信後を待つためのバックオフ間隔をさらに決定し得る。よって、この実施形態にしたがって、ＬＴＥ−Ｕデバイスは、アンカー信号を受信した後のバックオフ間隔を待った後にアクセスポイントを用いてＲＡＣＨ手順を開始し得る。追加または代替として、方法６００の一部として、ＵＥ１０６は、例えば、ページングインジケーションを復号し得る。実施形態において、ページングインジケーションを復号した後、ＵＥ１０６は、ページングインジケーションがＬＴＥ−Ｕデバイスのためのものではない場合、リッスンすることを停止することができる。
【００７８】
[0089]本明細書で使用される場合、「決定すること」という用語は、幅広いアクションを包含する。例えば、「決定すること」は、計算すること（calculating）、計算すること（computing）、処理すること、導出すること、調査すること、ルックアップすること（例えば、表、データベース、または別のデータ構造においてルックアップすること）、確定すること、および同様のことを含み得る。また、「決定すること」は、受信すること（例えば、情報を受信すること）、アクセスすること（例えば、メモリにおけるデータにアクセスすること）、および同様のことを含み得る。また、「決定すること」は、解決すること、選択すること、選ぶこと、確立すること、および同様のことを含み得る。さらに、本明細書で使用される場合、「チャネル幅」は、ある特定の態様において、帯域幅を包含し得る、または帯域幅とも称され得る。
【００７９】
[0090]本明細書で使用される場合、アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図される。
【００８０】
[0091]上記に説明された方法の様々な動作は、様々なハードウェアおよび／またはソフトウェアのコンポーネント、回路、および／またはモジュールのような、動作を実行することが可能な任意の適切な手段によって実行され得る。一般に、図面において例示された任意の動作は、動作を実行することが可能な対応する機能的な手段によって実行され得る。
【００８１】
[0092]本開示に関して説明された様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタロジック、個別ハードウェアコンポーネント、あるいは本明細書で説明された機能を実行するように設計されたこれらの任意の組み合わせを用いて実現または実行され得る。汎用プロセッサは、マイクロプロセッサであり得るが、代替として、このプロセッサは、任意の商業的に利用可能なプロセッサ、コントローラ、マイクロコントローラ、またはステートマシンであり得る。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、または任意の他のそのような構成として実現され得る。
【００８２】
[0093]１つまたは複数の態様では、説明された機能は、ハードウェア、ソフトウェア、ファームウェア、またはこれらの任意の組合せで実現され得る。ソフトウェアで実現される場合、これら機能は、コンピュータ可読媒体上で、１つまたは複数の命令またはコードとして送信または記憶され得る。コンピュータ可読媒体は、ある場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいはデータ構造もしくは命令の形式で所望されるプログラムコードを記憶または搬送するために使用されることができ、コンピュータによってアクセスされることができる任意の他の媒体を備えることができる。また、任意の接続は、コンピュータ可読媒体と厳密には称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、またはその他の遠隔ソースから送信される場合には、この同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。したがって、いくつかの態様では、コンピュータ可読媒体は、非一時的なコンピュータ可読媒体（例えば、有形媒体）を備え得る。加えて、いくつかの態様では、コンピュータ可読媒体は、一時的コンピュータ可読媒体（例えば、信号）を備え得る。上記の組み合わせもまた、コンピュータ可読媒体の範囲内に含まれるべきである。
【００８３】
[0094]本明細書で開示された方法は、説明された方法を達成するための１つまたは複数のステップまたはアクションを備える。方法のステップおよび／またはアクションは、特許請求の範囲から逸脱することなく互いに置き換えられ得る。言い換えれば、ステップまたはアクションの特定の順序が明記されない限り、特定のステップおよび／またはアクションの順序および／または使用は、特許請求の範囲から逸脱することなく修正され得る。
【００８４】
[0095]説明された機能は、ハードウェア、ソフトウェア、ファームウェア、またはこれらの任意の組合せで実現され得る。ソフトウェアで実現される場合、これら機能は、コンピュータ可読媒体上で、１つまたは複数の命令として記憶され得る。記憶媒体は、コンピュータによってアクセスされることができる任意の入手可能な媒体であることができる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいはデータ構造もしくは命令の形式で所望されるプログラムコードを記憶または搬送するために使用されることができ、コンピュータによってアクセスされることができる任意の他の媒体を備えることができる。本明細書で使用される場合、ディスク（disk）およびディスク（disc）は、コンパクトディスク（ＣＤ）、レーザーディスク、光ディスク、デジタル多目的ディスク（ＤＶＤ）、フロッピーディスク、およびブルーレイ（登録商標）ディスクを含み、ここでディスク（disks）は、通常磁気的にデータを再生し、一方ディスク（discs）は、レーザーを用いて光学的にデータを再生する。
【００８５】
[0096]したがって、ある特定の態様は、本明細書で提示された動作を実行するためのコンピュータプログラム製品を備え得る。例えば、このようなコンピュータプログラム製品は、その上に命令が記憶された（および／または符号化された）コンピュータ可読媒体を備え得、これら命令は、本明細書で説明された動作を実行するために１つまたは複数のプロセッサによって実行可能である。ある特定の態様では、コンピュータプログラム製品は、パッケージング材料を含み得る。
【００８６】
[0097]ソフトウェアまたは命令はまた、送信媒体上で送信され得る。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合には、この同軸ケーブル、光ファイバーケーブル、ツイストペア、ＤＳＬ、または赤外線、無線、およびマイクロ波のようなワイヤレス技術は、送信媒体の定義に含まれる。
【００８７】
[0098]さらに、本明細書で説明された方法および技法を実行するためのモジュールおよび／または他の適切な手段は、適宜、ユーザ端末および／または基地局によってダウンロードされるおよび／またはさもなければ取得され得ることが理解されるべきである。例えば、このようなデバイスは、本明細書で説明された方法を実行するための手段の転送を容易にするためにサーバに結合されることができる。代替として、本明細書で説明された様々な方法は、ユーザ端末および／または基地局が、デバイスに記憶手段を結合または提供する際に、様々な方法を得ることができるように、記憶手段（例えば、ＲＡＭ、ＲＯＭ、コンパクトディスク（ＣＤ）またはフロッピーディスクのような物理記憶媒体、等）を介して提供されることができる。さらに、本明細書で説明された方法および技法をデバイスに提供するためのその他任意の適切な技法が、利用されることができる。
【００８８】
[0099]特許請求の範囲は、上記に例示された厳密な構成およびコンポーネントに限定されないことが理解されるべきである。様々な修正、変更、および変形が、特許請求の範囲から逸脱することなく、上記に説明された方法および装置の配置、動作および詳細において行われ得る。
【００８９】
[00100]前述の内容が本開示の態様を対象としている一方、本開示の他のおよびさらなる態様は、その基本的な範囲から逸脱することなしに考案され得、その範囲は、後続する特許請求の範囲によって決定される。
【図１】
2019504575.tif 000003
【図２】
2019504575.tif 000004
【図３Ａ】
2019504575.tif 000005
【図３Ｂ】
2019504575.tif 000006
【図４Ａ】
2019504575.tif 000007
【図４Ｂ】
2019504575.tif 000008
【図５】
2019504575.tif 000009
【図６】
2019504575.tif 000010
【国際調査報告】
2019504575.tif 000011
2019504575.tif 000012
2019504575.tif 000013